(57)【要約】【課題】小型化されるカメラモジュール等のモジュールを収容して電気的に接続した状態で確実に固定できるとともに、コネクタ自体の低背化を図ること。【解決手段】ハウジング１１０は、底面に複数のパットが配設されたカメラモジュール２００を挿入して収容する凹状の収容部１１０ａを有する。コンタクト１３０は、収容部１１０ａの底面から収容部１１０ａ内に突出し、弾性変形するアーム１３１と、アーム１３１の先端にアーム１３１の弾性変形によってカメラモジュール２００の挿入方向に揺動自在であり、且つ、パットに接触する接点部１３３とを備える。シールドカバー１２０は、収容部１１０ａを覆うようにハウジング１１０に脱着可能に取り付けられて、コンタクト１３０のアーム１３１によって挿入方向と逆方向に付勢されるカメラモジュール２００の上面２１１に当接して、カメラモジュール２００をコンタクト１３０とともに挟持する。【選択図】図５
2010092822.tif 000002
【特許請求の範囲】
【請求項１】
底面に複数の面状接触部が配設されたモジュールを、前記底面側から挿入して収容する凹状収容部を有するハウジングと、
前記凹状収容部の底面から前記収容部内に突出して設けられ、弾性変形するアーム部及び前記アーム部の先端に形成され、前記アーム部の弾性変形によって前記モジュールの挿入方向に揺動自在であり、且つ、前記面状接触部に接触する接点部を備えるコンタクトと、
前記収容部を覆うように前記ハウジングに脱着可能に取り付けられ、前記コンタクトのアーム部によって挿入方向と逆方向に付勢される前記モジュールの上面に当接して、前記モジュールを前記コンタクトとともに挟持するシールドカバーと、
を有するモジュールコネクタ。
【請求項２】
前記モジュールは、上面側に、撮像孔を有するレンズユニットを設けたカメラモジュールであり、
前記シールドカバーは、前記レンズユニットを挿通する開口部を有し、当該開口部の周囲で、前記モジュールの上面に当接する、
請求項１記載のモジュールコネクタ。
【発明の詳細な説明】
【技術分野】
【０００１】
本発明は、固体撮像素子を有するカメラモジュール等のモジュールが接続されるモジュールコネクタに関する。
【背景技術】
【０００２】
従来、カメラモジュールなどの電子部品であるモジュールを接続するコネクタでは、例えば、特許文献１に示すように、モジュールを収容する収容部内に突出して、収容部内のモジュールの抜け止めを行うバネフックが設けられている。
【０００３】
図６及び図７は、従来のコネクタの説明に供する図であり、図６は従来のコネクタの構成の説明に供する、コネクタと、コネクタに装着されるモジュールを示す概略縦断面図、図７は図６に示すコネクタにモジュールが装着された状態を示す概略縦断面図である。
【０００４】
図６及び図７に示すコネクタ１０は、組み込まれたモジュール２０を機器に取り付けるものである。
【０００５】
まず、このコネクタ１０に装着されるモジュール２０について説明する。モジュール２０は、携帯電話等に実装するカメラモジュールであり、底面に基板２１が取り付けられた概略四角形のモジュール本体２３の上部にレンズ部２４が設けられている。また、モジュール本体２３のコーナ部近傍には、モジュール本体２３の途中から上面までを連続して切り欠くことによって係合部２２が形成されている。なお、基板２１は、コネクタ１０の接触子片と接続する複数の接触パッド（図示せず）を有する。
【０００６】
コネクタ１０は、上方に開口し、モジュール２０を組み込む収容部１１を有するハウジング１２と、収容部１１の内面に基板２１の接触パッドと電気的に接触する接触子片（図示省略）と、モジュール２０の係合部２２に係合するバネフック１３とを有する。
【０００７】
バネフック１３は、可撓性を有し、ハウジング１２の外周面を被覆するシールドケース１４から収容部１１内に延出しており、先端の自由先端部１３ａで、収容部１１に収容されるモジュールの係合部２２と係合することによってモジュールの抜けを防止する。
【０００８】
このバネフック１３は、シールドケース１４の上端部から、ハウジング１２内を通り収容部１１の底面１０ａの中心側に向かって傾斜するように配置され、自由先端部１３ａは、収容部内に位置している。
【０００９】
モジュール２０をコネクタ１０の上方から収容部１１内に落とし込むように組み込むと、バネフック１３は、モジュール２０の下面の下方への押圧によって弾性変形して外側に逃がされる。
【００１０】
そして、モジュール２０が収容部１１内の所定の位置まで挿入されると、バネフック１３の自由先端部１３ａは、基板の接触パッドと接触子片とが接触した状態で、復元して、係合部２２の係合面２２ａ、すなわちモジュール２０の上面と係合する（図７参照）。これにより、バネフック１３は、コネクタ１０に装着されたモジュール２０の抜け止めを防止する。
【００１１】
また、カメラモジュールを取り外す際、バネフック１３の自由先端部１３ａは、係合部２２とのロック位置の外側で、取り外し方向に移動するカメラモジュールの側面を押圧しながら摺動する。
【００１２】
この摺動によるバネフック１３自体の変形を防止し、自由先端部１３ａの復元力を確保するために、バネフック１３では、シールドケース１４の上端から自由先端部１３ａまで、所定長Ｌの変形部位を有する構成となっている。
【特許文献１】特開２００６−３７４４３号公報
【発明の開示】
【発明が解決しようとする課題】
【００１３】
近年、カメラモジュールなどのモジュールを搭載する携帯電話などの電子機器において小型化が図られており、これに伴い、モジュール及びモジュールの搭載に用いられるモジュールコネクタ自体の低背化が望まれている。
【００１４】
しかしながら、従来のモジュールコネクタの構成では、モジュールを取り外す際のバネフック１３の変形を防ぎ、自由先端部１３ａの復元力を確保するために、シールドケース１４の上端から自由先端部１３ａまでの、変形する部位の長さＬを確保する必要がある。
【００１５】
このため、収容部１１を囲む側壁部は、その上端から収容部１１の底面１０ａ側に向かって突出する変形部位の長さＬを確保できる分の高さＬ２が必要となり、低背化が困難であった。
【００１６】
本発明はかかる点に鑑みてなされたものであり、小型化されるカメラモジュール等のモジュールを収容して電気的に接続した状態で確実に固定できるとともに、コネクタ自体の低背化を図ることができるモジュールコネクタを提供する。
【課題を解決するための手段】
【００１７】
本発明のモジュールコネクタは、底面に複数の面状接触部が配設されたモジュールを、前記底面側から挿入して収容する凹状収容部を有するハウジングと、前記凹状収容部の底面から前記収容部内に突出して設けられ、弾性変形するアーム部及び前記アーム部の先端に形成され、前記アーム部の弾性変形によって前記モジュールの挿入方向に揺動自在であり、且つ、前記面状接触部に接触する接点部を備えるコンタクトと、前記収容部を覆うように前記ハウジングに脱着可能に取り付けられ、前記コンタクトのアーム部によって挿入方向と逆方向に付勢される前記モジュールの上面に当接して、前記モジュールを前記コンタクトとともに挟持するシールドカバーとを有する構成を採る。
【発明の効果】
【００１８】
本発明によれば、小型化されるカメラモジュール等のモジュールを収容して、電気的に接続した状態で確実に固定できるとともに、コネクタ自体の低背化を実現できる。
【発明を実施するための最良の形態】
【００１９】
以下、本発明の実施の形態について、図面を参照して詳細に説明する。
【００２０】
図１及び図２は、本発明の一実施の形態に係るモジュールコネクタを説明するための図であり、図１は、モジュールコネクタを、カメラモジュールとともに示す斜視図であり、図２は同側面図である。なお、本実施の形態では、モジュールコネクタに装着されるモジュールをカメラモジュールとしているがこれに限らず、モジュールが、底面に複数の面状接触部（以下、「パット」ともいう）を有する電子部品であれば、どのようなモジュールを装着してもよい。
【００２１】
図１及び図２に示す本実施の形態に係るモジュールコネクタ（以下、「コネクタ」という）１００は、基板にカメラモジュール２００を実装する際に用いられるものである。
【００２２】
コネクタ１００は、複数のコンタクト１３０が配設されたハウジング１１０と、ハウジング１１０に、ハウジング１１０を上方から覆うように脱着自在に取り付けられるシールドカバー１２０とを有する。コネクタ１００は、ハウジング１１０内にカメラモジュール２００を配置して、シールドカバー１２０を上方から被せることによって収容し、カメラモジュール２００を電気的に接続した状態で固定する。
【００２３】
まず、コネクタ１００が収容するカメラモジュール２００について説明する。このコネクタ１００を介して基板に実装されるカメラモジュール２００は、例えば、ＶＧＡ（Video Graphics Array）対応モジュールである。
【００２４】
このカメラモジュール２００は、略直方体形状のモジュール本体２１０と、モジュール本体２１０内に配置された図示しないＣＭＯＳカメラモジュール等の固体撮像素子に光を導くレンズをバレル内に取り付けた円柱状のレンズユニット２２０とを有する。
【００２５】
レンズユニット２２０は、中央に撮像孔２２１が形成された上面２２２を撮像方向側の面として、モジュール本体２１０に上下方向に移動自在に取り付けられている。レンズユニット２２０をモジュール本体２１０に対して移動させることによって、撮像孔による光路上に配置されたレンズと、モジュール本体２１０内の固体撮像素子との距離が調整される。レンズユニット２２０は、外周（バレル２２３の外周）に形成された雄ねじ部を、モジュール本体２１０の上面２１１で開口する開口部２１２の縁部に形成された雌ねじ部（図示せず）に螺合させることによって、モジュール本体２１０に取り付けられている。
【００２６】
ここでは、レンズユニット２２０は、モジュール本体２１０の上面２１１の略中央部に形成された開口部２１２内に配置されている。
【００２７】
また、カメラモジュール２００の底面、つまり、モジュール本体２１０の底面部２１３には、複数のパット（図示せず）が、周縁部に沿って設けられ、コネクタ１００に収容された際に、コネクタ１００のハウジング１１０に配設されたコンタクト１３０に接触する。
【００２８】
図３は、本実施の形態のカメラモジュールコネクタ１００におけるハウジング１１０の上面図であり、図４は、同ハウジング１１０の背面図である。
【００２９】
図１、図３〜図４に示すように、ハウジング１１０は、樹脂により成形され、図１に示すように、一方の面（ここで上面）側で開口し、この開口側からカメラモジュール２００を収容する凹状収容部（以下、「収容部」という）１１０ａを備える。ハウジング１１０は、収容部１１０ａを矩形状の底面部１１１と、底面部１１１の外縁から立ち上がる周壁部１１２とによって画成した矩形箱状をなしている。ハウジング１１０の開口形状は、カメラモジュール２００のモジュール本体２１０の外形に対応している。
【００３０】
ハウジング１１０の周壁部１１２の外面には、シールドカバー１２０が装着された際に、シールドカバー１２０の側壁部１２２ａの取付穴１２４に係合する係合突起１１４が形成されている。ここでは、係合突起１１４は、周壁部１１２のうち対向する一対の壁部の外面にそれぞれ形成されている。なお、係合突起１１４はここでは導電性を有する金属板を加工することによって形成されている。ここでは、周壁部１１２のうち対向する一対の壁部に、これら壁部の外面に臨むように埋設された金属板材に形成されている。つまり、金属板において壁部の外面に臨む部位を突出するように加工してなる。
【００３１】
係合突起１１４は、上方から下方に向かって、壁部の外面から離間するようにテーパが付けられている。これにより、ハウジング１１０にシールドカバー１２０を被せて取り付ける際に、係合突起１１４は、取付穴１２４に係合し易く、係合後は取付穴１２４から外れにくくなっている。
【００３２】
ハウジング１１０では、収容部１１０ａの底面を画成する底面部１１１から複数のコンタクト１３０のアーム１３１が、収容部１１０ａ内に突出して配設されている。
【００３３】
コンタクト１３０は、導電性を有する細長の金属片を折曲することにより形成され、アーム１３１を弾性変形自在としている。アーム１３１は、弾性変形によって、先端に形成された接点部１３３を、底面部１１１から接近方向及び離間方向に揺動させる。
【００３４】
このアーム１３１は、周壁部１１２の内壁面に沿って上端部（開口側端部）側から下端側（底面部１１１側）に向かって延びる延出部１３２の先端から上方にＶ字状に折り曲げられてなる。これにより、アーム１３１は、周壁部１１２の下端から収容部１１０ａの内方に向かって上方に傾斜しながら突出して配置され、下方向（収容部１１０ａへのカメラモジュール２００の挿入方向）に弾性変形自在となっている。つまり、アーム１３１は、弾性変形可能であり、ハウジング１１０において凹状の収容部１１０ａの底面（底面部１１１の上面）から収容部１１０ａ内に突出して設けられている。
【００３５】
接点部１３３は、収容部１１０ａ内において、当該収容部１１０ａ内に収容されるカメラモジュール２００のパットに対応する位置に配置され、アーム１３１の変形によって、カメラモジュール２００の挿入方向に移動する。
【００３６】
つまり、接点部１３３は、挿入方向に抗する方向（挿脱方向）に付勢された状態で配置され、カメラモジュール２００の挿入方向と押圧される方向とが同一方向としている。このため、カメラモジュール２００を収容部１１０ａ内に挿入して挿入方向に押圧すると、接点部１３３は、カメラモジュール２００のパットと互いに押圧しあう状態で接触する。
【００３７】
なお、ハウジング１１０の上端（周壁部１１２の上端）の一部には、取り付けられるカメラモジュール２００のキー２１６が挿入される溝部１１５が形成されている。これにより、ハウジング１１０と、ハウジング１１０の収容部１１０ａ内に収容されるカメラモジュール２００の向きとを一致させることができ、それぞれ対応するコンタクト１３０とパットとを接続させることができる。
【００３８】
また、ハウジング１１０の上端の一部には、上方に突出する位置決め突部１１６が設けられている。この位置決め突部１１６は、ハウジング１１０にシールドカバー１２０を被せて取り付けた際に、シールドカバー１２０のトップシールド部１２５に形成された位置決め穴１２６に内嵌する。これによりハウジング１１０に取り付けられるシールドカバー１２０の位置決めが行われる。
【００３９】
図１に示すシールドカバー１２０は、カメラモジュール２００を収容したハウジング１１０に、ハウジング１１０の開口側（上方）から被せられることによって取り付けられ、ハウジング１１０とともにカメラモジュール２００を保持する。このとき、ハウジング１１０のコンタクト１３０は、カメラモジュール２００のパットと電気的に接続した状態で保持される。
【００４０】
シールドカバー１２０は、板金を加工してなり、ハウジング１１０を上面から覆うトップシールド部１２５と、トップシールド部１２５の外縁から垂下してなり、ハウジング１１０の周壁部１１２の外面を被覆する角筒状のサイドシールド部１２２とを有する。
【００４１】
トップシールド部１２５は、ハウジング１１０の外形に対応した外形を有する矩形板状体の中央部分に、カメラモジュール２００のレンズユニット２２０の外形（ここでは円形）に対応した開口部１２７を設けることで構成されている。
【００４２】
これにより、トップシールド部１２５は、カメラモジュール２００を収容したハウジング１１０に取り付けられた際に、開口部１２７に、カメラモジュール２００のレンズユニット２２０の上部分を挿通させた状態で、レンズユニット２２０を囲む部位（モジュール本体２１０の上面２１１）に対向して配置され、この対向する部位を押圧する。
【００４３】
具体的には、トップシールド部１２５は、主に、開口部１２７を囲む４つの角部分１２５ａで、レンズユニット２２０を囲む部位であるモジュール本体２１０の上面２１１を押圧する。
【００４４】
このトップシールド部１２５は、シールドカバー１２０において、ハウジング１１０に取り付けられた際に、収容部１１０ａの高さとなる底面部１１１との間の距離が、カメラモジュール２００のモジュール本体２１０の高さと略等しくなるように形成されている。
【００４５】
コネクタ１００では、ハウジング１１０の収容部１１０ａ内に、開口側（ここでは、上方）からカメラモジュール２００を挿入し、ハウジング１１０にシールドカバー１２０を着脱自在に取り付けることによって、カメラモジュール２００が装着される。
【００４６】
コネクタ１００では、ハウジング１１０内のカメラモジュール２００は、ハウジング１１０の底面部１１１から突出するコンタクト１３０の部分（アーム１３１及び接点部１３３）と、トップシールド部１２５における開口部１２７の周囲の上面部とで保持されている。
【００４７】
図５は、本発明に係るカメラモジュールコネクタにカメラモジュールを装着した状態を示す要部断面図である。
【００４８】
図５に示すようにコネクタ１００では、カメラモジュール２００を収容部１１０ａ内に収容したハウジング１１０に、シールドカバー１２０が取り付けられている。
【００４９】
このとき、シールドカバー１２０のトップシールド部１２５は、主に角部分１２５ａの下面側でコンタクト１３０により上方に付勢されたカメラモジュール２００の上面（モジュール本体２１０の上面２１１）に当接する。
【００５０】
すなわち、コネクタ１００では、取付穴１２４を係合突起１１４に係合させることによって、シールドカバー１２０をハウジング１１０に取り付けると、トップシールド部１２５は、底面側で接触するコンタクト１３０によって、取り付け方向に抗する方向に付勢あされたカメラモジュール２００に当接する。これにより、トップシールド部１２５は、カメラモジュール２００を、コンタクト１３０側に押圧した状態で、ハウジング１１０に固定される。ここでは、ハウジング１１０に配設された複数のコンタクト１３０は、それぞれ対応するカメラモジュール２００の複数のパットに、カメラモジュール２００の底面の外縁に沿って均一的にバランスよく接触するように配置されている。この状態において、カメラモジュール２００は、挿入方向と直交する面状のトップシールド部１２５の角部分１２５ａによって、上方から、ハウジング１１０の底面部１１１側に押圧される。
【００５１】
これにより、コネクタ１００では、ハウジング１１０の底面部１１１から突出するコンタクト１３０と、トップシールド部１２５とで、カメラモジュール２００を、電気的に接続した状態で挟持する。
【００５２】
言い換えれば、シールドカバー１２０は、収容部１１０ａを覆うようにハウジング１１０に脱着可能に取り付けられ、コンタクト１３０のアーム１３１によって挿入方向と逆方向に付勢されるカメラモジュール２００（詳細には、モジュール本体２１０）の上面２１１に当接して、カメラモジュール２００をコンタクト１３０とともに挟持する。
【００５３】
すなわち、ハウジング１１０に配設されるコンタクト１３０に、カメラモジュール２００を保持する機能を持たせて、ハウジング１１０を覆うシールドカバー１２０とで、カメラモジュール２００を保持している。このため、従来のバネフックといった、収容部するカメラモジュールの抜け止めを防止する部材を別部材として設ける必要がない。
【００５４】
よって、図６及び図７に示す従来のコネクタと異なり、コネクタ本体の側壁部の上端側から内側下方に突出して、収容部内のカメラモジュールの抜け止めを行うバネフックの復元力を確保するために、コネクタをＬ２分の高さを確保する必要がなく、低背化を図ることができる。ここでは、長さＬ３分の低背化を図ることができ、装着されるカメラモジュール２００とともに、基板に実装された際に、実装スペースを小さくして、実装された基板を備える電子機器自体の小型化を図ることができる。例えば、コネクタ１００によれば、底面からトップシールド部１２５の上面１２８（図１参照）までの高さを、略２ｍｍ又は２ｍｍ以下でカメラモジュールの高さに対応する高さにできる。
【００５５】
このように本実施の形態のコネクタ１００では、小型化されるカメラモジュールを収容して確実に固定できるとともに、コネクタ自身の低背化を図ることができる。
【００５６】
なお、上記本発明は、本発明の精神を逸脱しない限り、種々の改変をなすことができ、そして本発明が該改変させたものに及ぶことは当然である。
【産業上の利用可能性】
【００５７】
本発明に係るモジュールコネクタは、小型化されるモジュールを収容して、電気的に接続した状態で確実に固定できるとともに、コネクタ自体の低背化を実現できる効果を有し、携帯機器にカメラモジュールを装着する場合に用いられるカメラモジュールコネクタとして有用である。
【図面の簡単な説明】
【００５８】
【図１】本発明の一実施の形態に係るモジュールコネクタを説明するための図
【図２】本発明の一実施の形態に係るモジュールコネクタを説明するための図
【図３】本実施の形態のモジュールコネクタにおけるハウジングの上面図
【図４】同ハウジングの背面図
【図５】本発明に係るモジュールコネクタにカメラモジュールを装着した状態を示す要部断面図
【図６】従来のコネクタの説明に供する図
【図７】従来のコネクタの説明に供する図
【符号の説明】
【００５９】
１００  カメラモジュールコネクタ
１１０  ハウジング
１１０ａ  収容部
１１１  底面部
１１４  係合突起
１１５  溝部
１２０  シールドカバー
１２２ａ  側壁部
１２４  取付穴
１２５  トップシールド部
１２５ａ  角部分
１２７  開口部
１３０  コンタクト
１３１  アーム
１３３  接点部
２００  カメラモジュール
２１０  モジュール本体
２１１  上面
２２０  レンズユニット
【図１】
2010092822.tif 000003
【図２】
2010092822.tif 000004
【図３】
2010092822.tif 000005
【図４】
2010092822.tif 000006
【図５】
2010092822.tif 000007
【図６】
2010092822.tif 000008
【図７】
2010092822.tif 000009